(57)【特許請求の範囲】
【請求項１】
測定液を貯留する測定液槽と、この測定液槽の中央付近に測定光束を照射する第１の筒体に収納された投光部と、前記測定光束が前記測定液を透過する際に生じる散乱光を受光する第２の筒体に収納された受光部と、収納箱に収納された電源部を備え、前記散乱光の大きさに基づいて前記測定液の濁度を検出する濁度計において、前記投光部、受光部、電源部を構成する電子部品の温度を仕様内に抑えるように前記電子部品が収納された前記第１の筒体、第２の筒体、収納箱の少なくとも１つにエアパージ手段を設けるとともに、前記第１の筒体、第２の筒体、収納箱の温度を監視する温度センサを設け、所定温度に達した場合はエアパージをオンオフするスイッチを設けたことを特徴とする透過散乱形濁度計。
【請求項２】
前記測定液槽を構成する投光側および受光側の窓材としてサファイアクリスタルガラスを用いたことを特徴とする請求項１に記載の透過散乱形濁度計。
【発明の詳細な説明】
【技術分野】
【０００１】
本発明は、透過散乱形濁度計に関し、高温対策および接液窓の腐食対策を施した透過散乱形濁度計に関するものである。
【背景技術】
【０００２】
図２は従来から用いられている一般的な透過散乱形濁度計の要部断面平面図である。
図２において、１１は測定光束２４を測定液槽１０ａに導入する投光側窓、１２は測定液槽１０ａから透過光および散乱光を導出する受光側窓である。
【０００３】
１３は測定液槽１０ａに測定液を流入させる測定液入口、１４は測定液槽１０ａから測定液を流出させる測定液出口である。測定液は測定液入口１３から測定液槽１０ａに入り、測定液出口１４から排出される。
【０００４】
投光部２０において、２１は測定光を発生させる光源、２２は光源２１から出射された測定光を平行光（測定光束２４）にするレンズ、２３は絞りである。受光部３０において、３１は透過光を受光する透過光受光素子、３２、３３は散乱光を受光する散乱光受光素子である。投光部２０と受光部３０とは、測定液槽１０ａの投光側窓１１および受光側窓１２を介して対向配置されている。なお、測定液槽部１０の側面には電源部１０ｂが取付けられている。１０ｃは電源部を収納する収納箱である。
【０００５】
透過光受光素子３１は測定光束２４のほぼ中心付近に配置されて、測定液中を直進する透過光を受光し、散乱光受光素子３２、３３は透過光受光素子３１の周囲に配置されて、測定液により散乱された散乱光を受光する。
【０００６】
したがって、透過光受光素子３１の受光出力と散乱光受光素子３２、３３の受光出力とを演算することにより、測定液の濁度に対応した測定出力を得ることができる。
なお、このような透過散乱形濁度計の従来技術としては下記の特許文献が知られている。
【０００７】
【特許文献１】特開２００６−２３４６０６号公報
【特許文献２】特開２００７−１１３９８７号公報
【発明の開示】
【発明が解決しようとする課題】
【０００８】
ところで、上述の従来例においては、次のような課題があった。
一般に透過散乱形濁度計の測定対象は、上・下水道、河川および一般プロセス等における測定液の濁度であり、測定液の温度仕様は０〜５０℃である。
そして、従来例として示した測定液槽１０ａの投光側窓１１および受光側窓１２の材質は一般に強化処理ソーダガラスが用いられている。
【０００９】
このような従来の透過散乱形濁度計を用いて例えば周囲温度５０℃のもとで８０℃の高温水の濁度を測定しようとした場合、高温によって投光部２０、電源部１０ｂおよび受光側（検出器）３０の内部温度が大きく上昇し、限界温度を超え正確な測定ができなくなる上、濁度計の寿命も短くなってしまう。電源部１０ｂに含まれるコンバーター（図示省略）の電子部品や受光側のシリコンフォトダイオードの仕様上限温度は６０℃である。
【００１０】
また測定液が電解液として使用される苛性ソーダ（中〜高アルカリ）水や海水（弱アルカリ）の場合、測定液槽１０ａの強化処理ソーダガラス窓１１，１２の腐食が進行してしまう。
高温水の濁度や海水、電解用の苛性ソーダ水の濁度測定の需要は、電解工場などで必要としているところも少なくない。
【００１１】
従って本発明は、周囲温度５０℃のもとで８０℃の高温水の濁度を測定してもコンバーターや受光側のシリコンフォトダイオードの仕様内に抑えることが可能で、かつ、測定液が電解液の場合でも長期間の測定が可能な透過散乱形濁度計を提供することを目的としている。
【課題を解決するための手段】
【００１２】
本発明は上記問題点を解決するためになされたもので、請求項１に記載の透過散乱形濁度計の発明においては、
測定液を貯留する測定液槽と、この測定液槽の中央付近に測定光束を照射する第１の筒体に収納された投光部と、前記測定光束が前記測定液を透過する際に生じる散乱光を受光する第２の筒体に収納された受光部と、収納箱に収納された電源部を備え、前記散乱光の大きさに基づいて前記測定液の濁度を検出する濁度計において、前記投光部、受光部、電源部を構成する電子部品の温度を仕様内に抑えるように前記電子部品が収納された前記第１の筒体、第２の筒体、収納箱の少なくとも１つにエアパージ手段を設けるとともに、前記第１の筒体、第２の筒体、収納箱の温度を監視する温度センサを設け、所定温度に達した場合はエアパージをオンオフするスイッチを設けたことを特徴とする。
【００１３】
請求項２においては請求項１に記載の透過散乱形濁度計において、
前記測定液槽を構成する投光側および受光側の窓材としてサファイアクリスタルガラスを用いたことを特徴とする。
【発明の効果】
【００１４】
以上説明したことから明らかなように本発明の請求項１によれば、投光部、受光部、電源部を構成する電子部品の温度を仕様内に抑えるように電子部品が収納された第１の筒体、第２の筒体、収納箱の少なくとも１つにエアパージ手段を設け、所定温度に達した場合はエアパージをオンオフするスイッチを設けたので、高温の測定液の濁度測定においても濁度計本体の温度上昇を抑制することができ、エアパージ手段の効率的な運転が可能となり経費節減を図ることができる。
【００１５】
また、請求項２によれば、測定液槽を構成する投光側および受光側の窓材としてサファイアクリスタルガラスを用いたので溶液槽のガラス窓の腐食を抑制することができる。
【発明を実施するための最良の形態】
【００１６】
図１は本発明の透過散乱形濁度計の要部断面平面図である。
図１において、図２の従来例と同一要素には同一符号を付している。
本発明と従来の透過散乱形濁度計の異なる点は投光部、受光部、電源部にそれぞれ空気導入孔および空気導出孔を設けると共に測定液槽の投光側の窓と受光側の窓の材質をサファイアクリスタルガラスに変更した点である。
【００１７】
即ち、本発明の実施例では投光部２０を構成する筒体２０ａの下方の測定液槽部１０寄りに空気導入孔４０ａを設け、筒体２０ａの上方の光源２１寄りに空気導出孔４０ｂを設け、電源部１０ｂを構成する収納箱１０ｃの右側面に空気導入孔４０ｃを設け、左側面に空気導出孔４０ｄを設けている。
【００１８】
また、受光部３０を構成する筒体３０ａの下方の測定液槽部１０寄りに空気導入孔４０ｅを設け、筒体３０ａの上方の受光素子寄りに空気導出孔４０ｆを設けている。
更に、本発明の実施例では測定液槽１０ａの投光側の窓１１ａと受光側窓１２ａの材質をサファイアクリスタルガラスとしている。
【００１９】
上述の構成において、濁度測定と同時に各空気導入口から空気を導入し、投光部２０、受光部３０、電源部１０ｂをエアパージする。発明者等の実験によれば周囲温度を５０℃、測定液温度を８０℃とした場合、投光部２０、受光部３０、電源部１０ｂの内部温度はそれぞれ８２℃、５８℃、７０℃程度に達するが、０．１４ＭＰａ（エアパージ入り口に設置した減圧弁の圧力）のエアパージを行うことで５６℃、５５℃、５６℃程度に温度上昇を抑えることができた。
【００２０】
その結果、構成部品の寿命は短くなることもなく、高温の測定液の濁度を正確に測定することが出来る。また、測定液槽１０ａの窓にサファイアクリスタルを用いることで、電解液や海水の腐食を防止することができる。
【００２１】
なお、以上の説明は、本発明の説明および例示を目的として特定の好適な実施例を示したに過ぎない。例えば、空気導入口および空気導出口の位置はエアパージ効果が低下しない範囲で図示の位置に限ることなく任意に形成することができる。
【００２２】
また、実施例では投光部２０、受光部３０、電源部１０ｂの３箇所にエアパージを行う構成としたが、エアパージ効果が顕著であればいずれか１箇所に形成するだけでも良い。
また、エアパージは投光部、受光部、電源部を温度センサで監視しておき、所定の温度（例えば５０℃以上）になった場合に機能するオンオフスイッチを設けてもよい。
従って本発明は、上記実施例に限定されることなく、その本質から逸脱しない範囲で更に多くの変更、変形を含むものである。
【図面の簡単な説明】
【００２３】
【図１】本発明の透過散乱形濁度計の要部断面平面図である。
【図２】従来の透過散乱形濁度計の要部断面平面図である。
【符号の説明】
【００２４】
１０      測定液槽部
１０ａ    測定液槽
１０ｂ    電源部
１１      投光側窓
１２      受光側窓
１３      測定液入口
１４      測定液出口
２０      投光部
２０ａ    筒体
２１      光源
２２      レンズ
２３      絞り
３０      受光部
３０ａ    筒体
３１      透過光受光素子
３２，３３  散乱光受光素子
４０ａ，４０ｃ，４０ｅ  空気導入孔
４０ｂ，４０ｄ，４０ｆ  空気導出孔
【図１】
0005412749.tif 000002
【図２】
0005412749.tif 000003